(57)【要約】【課題】収納した小物類の過大な重量や過大な大きさの小物類を無理に収納しょうとする開き力により壁体間の対向距離が増加し、この距離の増加により仕切板が壁体から外れて取れようとしても、鉤状係止部は互いに鉤状に係止し合い、壁体からの仕切板４の離脱を確実に阻止することができる。【解決手段】合成樹脂製の箱体１の対向する壁体３・３間に仕切板４を着脱自在に配設可能な着脱機構５を備えてなり、上記着脱機構は壁体の壁面及び上記仕切板の側端面にそれぞれ形成された対向一対の着脱部６・７からなり、各着脱部に上記壁体間の対向距離Ｌの増加時に相互に鉤状に係止して該壁体からの該仕切板の離脱を阻止可能な鉤状係止部８・９を形成してなる。【選択図】        図６
2004168402.tif 000002
【特許請求の範囲】
【請求項１】
合成樹脂製の箱体の対向する壁体間に仕切板を着脱自在に配設可能な着脱機構を備えてなり、上記着脱機構は壁体の壁面及び上記仕切板の側端面にそれぞれ形成された対向一対の着脱部からなり、該各着脱部に上記壁体間の対向距離の増加時に相互に鉤状に係止して該壁体からの該仕切板の離脱を阻止可能な鉤状係止部を形成してなることを特徴とする箱体の仕切板着脱構造。
【請求項２】
上記一方の着脱部に略Ｔ条状の鉤状係止部が形成され、他方の着脱部に略凹条状の鉤状係止部が形成されていることを特徴とする請求項１記載の箱体の仕切板着脱構造。
【請求項３】
上記一方の着脱部に略二段Ｔ条状の鉤状係止部が形成され、他方の着脱部に略二段凹条状の鉤状係止部が形成されていることを特徴とする請求項１記載の箱体の仕切板着脱構造。
【請求項４】
上記一方の着脱部の鉤状係止部の端部に鉤状条部が形成され、他方の着脱部の鉤状係止部の端部に鉤状条部が形成されていることを特徴とする請求項１〜３のいずれか１項に記載の箱体の仕切板着脱構造。
【発明の詳細な説明】
【０００１】
【発明の属する技術分野】
本発明は例えば釣り用具、建築用具、建築部品、機械部品等の小物類の収納に用いられる箱体の仕切板着脱構造に関するものである。
【０００２】
【従来の技術】
【０００３】
【特許文献１】
実登３０００８７８号公報
【０００４】
従来、この種の箱体として、箱体の対向する壁体間に仕切板を着脱自在に配設し、箱体内の収納空間を複数個の仕切板の着脱により大小に区画変更可能に設け、各種小物類の大きさに対する収納の融通性をもたせた構造のものが知られている。
【０００５】
【発明が解決しようとする課題】
しかしながら上記従来構造の場合、例えば、収納した小物類の過大な重量や過大な大きさの小物類を無理に収納しょうとする開き力により壁体間の対向距離が増加し、この距離の増加時に仕切板が壁体から外れて取れてしまうおそれがあるという不都合を有している。
【０００６】
【課題を解決するための手段】
本発明はこのような不都合を解決することを目的とするもので、本発明のうちで、請求項１記載の発明は、合成樹脂製の箱体の対向する壁体間に仕切板を着脱自在に配設可能な着脱機構を備えてなり、上記着脱機構は上記壁体の壁面及び上記仕切板の側端面にそれぞれ形成された対向一対の着脱部からなり、該各着脱部に上記壁体間の対向距離の増加時に相互に鉤状に係止して該壁体からの該仕切板の離脱を阻止可能な鉤状係止部を形成してなることを特徴とする箱体の仕切板着脱構造にある。
【０００７】
又、請求項２記載の発明は、上記一方の着脱部に略Ｔ条状の鉤状係止部が形成され、他方の着脱部に略凹条状の鉤状係止部が形成されていることを特徴とするものであり、又、請求項３記載の発明にあっては、上記一方の着脱部に略二段Ｔ条状の鉤状係止部が形成され、他方の着脱部に略二段凹条状の鉤状係止部が形成されていることを特徴とするものであり、又、請求項４記載の発明は、上記一方の着脱部の鉤状係止部の端部に鉤状条部が形成され、他方の着脱部の鉤状係止部の端部に鉤状条部が形成されていることを特徴とするものである。
【０００８】
【発明の実施の形態】
図１乃至図８は本発明の実施の形態例を示し、図１乃至図６は第一形態例、図７は第二形態例、図８は第三形態例である。
【０００９】
図１乃至図６の第一形態例において、１は箱体であって、合成樹脂により製作され、箱体１に合成樹脂製の蓋体２を着脱自在に被嵌し、この箱体１の対向する両側部及び中央部の三個の壁体３・３・３の対向する壁体３・３間にそれぞれ仕切板４・４・４・・・を着脱機構５により着脱自在に配設している。
【００１０】
この着脱機構５は、この場合、上記壁体３・３・３の壁面及び上記仕切板４・４・４・・・の側端面にそれぞれ形成された対向一対の着脱部６・７からなり、この着脱部６・７は互いに摺動係合可能に設けられ、この各着脱部６・７に上記壁体３・３・３間の対向距離Ｌの増加時に相互に鉤状に係止して壁体３からの仕切板４の離脱を阻止可能な鉤状係止部８・９を形成し、鉤状係止部８・９として、一方の着脱部６に略Ｔ条状の鉤状係止部８が形成され、他方の着脱部７に略凹条状の鉤状係止部９が形成されている。
【００１１】
この実施の第一形態例は上記構成であるから、合成樹脂製の箱体１の対向する壁体３・３間に仕切板４を着脱機構５により着脱自在に配設され、この着脱機構５は上記壁体３・３の壁面及び上記仕切板４の側端面にそれぞれ形成された対向一対の着脱部６・７からなり、この仕切板４を壁体３から外したり、仕切板４を壁体３に取り付けることにより収納空間Ｒを大小に変更することができ、収納の融通性を高めることができ、かつ、各着脱部６・７に上記壁体３・３間の対向距離Ｌの増加時に相互に鉤状に係止して壁体３・３からの仕切板４の離脱を阻止可能な鉤状係止部８・９が形成されているから、収納した小物類の過大な重量や過大な大きさの小物類を無理に収納しょうとする開き力により壁体３・３間の対向距離Ｌが増加し、この距離Ｌの増加により仕切板４が壁体３から外れて取れようとしても、鉤状係止部８・９は互いに鉤状に係止し合い、壁体３・３からの仕切板４の離脱を確実に阻止することができる。
【００１２】
又、この場合、上記一方の着脱部６に略Ｔ条状の鉤状係止部８が形成され、他方の着脱部７に略凹条状の鉤状係止部９が形成されているから、壁体３・３間の距離を増加させようとする開き力の方向以外の分力がもたらす略凹条状の鉤状係止部９の凹形状の口開き変形を阻止することができ、壁体３・３からの仕切板４の離脱を一層確実に阻止することができる。
【００１３】
図７の第二形態例は別例構造であって、この場合、上記一方の着脱部６に略二段Ｔ条状の鉤状係止部８・８が形成され、他方の着脱部７に略二段凹条状の鉤状係止部９・９が形成されている。
【００１４】
この第二形態例にあっては、略二段Ｔ条状の鉤状係止部８・８及び略二段凹条状の鉤状係止部９・９により壁体３・３からの仕切板４の離脱を一層確実に阻止することができる。
【００１５】
図８の第三形態例は別例構造であって、この場合、上記一方の着脱部６の鉤状係止部８の端部に鉤状条部８ａが形成され、他方の着脱部７の鉤状係止部９の端部に鉤状条部９ａが形成されている。
【００１６】
この第三形態例にあっては、上記鉤状係止部８・９の係止作用に加えて鉤状条部８ａ・９ａの係止作用を得ることができ、この両係止作用により壁体３・３からの仕切板４の離脱を一層確実に阻止することができる。
【００１７】
尚、本発明は上記実施の形態例に限られるものではなく、箱体１、仕切板４、収納空間Ｒ形態や数、鉤状係止部８・９構造等は適宜変更して設計される。
【００１８】
【発明の効果】
本発明は上述の如く、請求項１記載の発明にあっては、仕切板を壁体に取り付けることにより収納空間を大小に変更することができ、収納の融通性を高めることができ、かつ、各着脱部に上壁体間の対向距離の増加時に相互に鉤状に係止して壁体からの仕切板の離脱を阻止可能な鉤状係止部が形成されているから、収納した小物類の過大な重量や過大な大きさの小物類を無理に収納しょうとする開き力により壁体間の対向距離が増加し、この距離の増加により仕切板が壁体から外れて取れようとしても、鉤状係止部は互いに鉤状に係止し合い、壁体からの仕切板の離脱を確実に阻止することができる。
【００１９】
又、請求項２記載の発明にあっては、上記一方の着脱部に略Ｔ条状の鉤状係止部が形成され、他方の着脱部に略凹条状の鉤状係止部が形成されているから、壁体間の距離を増加させようとする開き力の方向以外の分力がもたらす略凹条状の鉤状係止部の凹形状の口開き変形を阻止することができ、壁体からの仕切板の離脱を一層確実に阻止することができ、又、請求項３記載の発明にあっては、上記一方の着脱部に略二段Ｔ条状の鉤状係止部が形成され、他方の着脱部に略二段凹条状の鉤状係止部が形成されているので、略二段Ｔ条状の鉤状係止部及び略二段凹条状の鉤状係止部により壁体からの仕切板の離脱を一層確実に阻止することができ、又、請求項４記載の発明にあっては、上記一方の着脱部の鉤状係止部の端部に鉤状条部が形成され、他方の着脱部の鉤状係止部の端部に鉤状条部が形成されているので、上記鉤状係止部の係止作用に加えて鉤状条部の係止作用を得ることができ、この両係止作用により壁体からの仕切板の離脱を一層確実に阻止することができる。
【００２０】
以上の如く、所期の目的を充分達成することができる。
【図面の簡単な説明】
【図１】本発明の実施の第一形態例の全体斜視図である。
【図２】本発明の実施の第一形態例の分離斜視図である。
【図３】本発明の実施の第一形態例の全体平面図である。
【図４】本発明の実施の第一形態例の部分分離斜視図である。
【図５】本発明の実施の第一形態例の部分分離斜視図である。
【図６】本発明の実施の第一形態例の部分平面図である。
【図７】本発明の実施の第二形態例の部分平面図である。
【図８】本発明の実施の第三形態例の部分平面図である。
【符号の説明】
Ｌ  対向距離
１  箱体
３  壁体
４  仕切板
５  着脱機構
６  着脱部
７  着脱部
８  鉤状係止部
８ａ  鉤条状部
９  鉤状係止部
９ａ  鉤条状部
【図１】
2004168402.tif 000003
【図２】
2004168402.tif 000004
【図３】
2004168402.tif 000005
【図４】
2004168402.tif 000006
【図５】
2004168402.tif 000007
【図６】
2004168402.tif 000008
【図７】
2004168402.tif 000009
【図８】
2004168402.tif 000010